(57)【要約】      （修正有）【課題】  特別なデバイスを付加することなく、容易に物品管理を行う。【解決手段】  転売目的で書籍が持ち込まれた場合、書店の店員が予め書籍に付されているＩＳＢＮや書籍ＪＡＮコード等のコードをバーコードリーダやスキャナ３４等で読み取り、指定されたページをスキャナ３４に載置し、照合プログラムが起動されているコンピュータに書籍固有情報照合開始命令を入力する。これにより書籍の所定ページの所定領域表面の状態が、所定の解像度、所定の階調で読み取られ得られた画像データがコンピュータ３６に転送され記憶される。次に、転売されようとしている書籍が、正規の手続によって購入されたものか否かを調べるために、ネットワーク３８を介して書籍固有情報管理用のサーバ４０から書籍固有情報の画像データを取り込んで、先に記憶した書籍固有情報画像データと比較し、同一の画像データであるか否かを照合し表示する。【選択図】図３
2006171900.tif 000002
【特許請求の範囲】
【請求項１】
ランダム性を有する読取り可能な固有の特徴が表面に沿って分布している固体の一意の特徴を表す固有情報を物品の一部から読み取ることで基準データを取得する読取手段と、
前記読取手段によって取得した前記基準データを記憶する記憶手段と、
を備えた物品情報登録装置と、
前記固有情報を物品の一部から読み取ることで照合データを取得する照合読取手段と、
前記記憶手段に記憶された前記基準データを取得する取得手段と、
前記取得手段によって取得した前記基準データと、前記照合読取手段によって取得した前記照合データとに基づいて、同一物品であるか否かを判定する判定手段と、
を備えた物品照合装置と、
からなる物品管理システム。
【請求項２】
前記物品情報登録装置と前記物品情報照合装置がネットワーク接続され、前記取得手段が前記ネットワークを介して前記記憶手段から前記基準データを取得することを特徴とする請求項１に記載の物品管理システム。
【請求項３】
前記取得手段は、記録媒体を介して前記記憶手段に記憶された前記基準データを取得することを特徴とする請求項１に記載の物品管理システム。
【請求項４】
前記記憶手段に記憶された前記基準データを蓄積するサーバを更に備え、前記物品情報登録装置、物品情報照合装置、及び前記サーバがネットワーク接続され、前記物品情報登録装置が前記記憶手段に記憶された前記基準データを前記ネットワークを介して前記サーバに登録し、前記物品情報照合装置が前記取得手段によって前記サーバから前記ネットワークを介して前記基準データを取得することを特徴とする請求項１に記載の物品管理システム。
【請求項５】
ランダム性を有する読取り可能な固有の特徴が表面に沿って分布している固体の一意の特徴を表す固有情報を物品の一部から読み取ることで基準データを取得する読取手段と、
前記読取手段によって取得した前記基準データをネットワークを介して外部に出力する出力手段と、
を備えた物品情報登録装置と、
ネットワークを介して前記出力手段から出力された前記基準データを記憶する記憶手段と、
ネットワークを介して前記基準データと照合するための照合データを受信し、前記記憶手段に記憶された前記基準データと、該照合データとに基づいて、同一物品であるか否かを判定する判定手段と、
前記判定手段の判定結果をネットワークを介して  前記照合データの送信元に送信する送信手段と、
を備えたサーバと、
前記固有情報を物品の一部から読み取ることで照合データを取得する照合読取手段と、
前記照合読取手段によって取得した前記照合データをネットワークを介して前記サーバに送信することにより、前記記憶手段に記憶された前記基準データと同一物品であるかの照合を要求する要求手段と、
前記送信手段から送信される前記判定手段の判定結果を受信する受信手段と、
を備えた物品照合装置と、
からなる物品管理システム。
【請求項６】
前記読取手段及び前記照合読取手段は、物品の一部に光を照射した反射光または透過光を読み取ることによって、濃度を表す画像データを取得することを特徴とする請求項１乃至請求項５の何れか１項に記載の物品管理システム。
【請求項７】
前記読取手段及び前記照合読取手段は、シート状または平板状の形状を有する物品の一部を読み取ることを特徴とする請求項１乃至請求項６の何れか１項に記載の物品管理システム。
【請求項８】
前記読取手段及び前記照合読取手段は、物品の一部として紙の表面の凹凸を読み取ることを特徴とする請求項１乃至請求項７の何れか１項に記載の物品管理システム。
【請求項９】
前記物品情報照合装置が、前記判定手段による判定結果を報知する報知手段を更に備えることを特徴とする請求項１乃至請求項８の何れか１項に記載の物品管理システム。
【請求項１０】
前記読取手段が、物品の種類を表す種類情報を更に読み取ると共に、該種類情報に基づいて物品の種類毎に予め定められた読み取り位置を読み取ることで基準データを取得し、
前記照合読取手段が、前記種類情報を更に読み取ると共に、該種類情報に基づいて物品の種類毎に予め定められた読み取り位置を読み取ることで照合データを取得するを特徴とする請求項１乃至請求項９の何れか１項に記載の物品管理システム。
【請求項１１】
ランダム性を有する読取り可能な固有の特徴が表面に沿って分布している固体の一意の特徴を表す固有情報を物品の一部から読み取ることで基準データを取得して記憶しておき、
前記固有情報を物品の一部から読み取ることで照合データを取得し、記憶しておいた前記基準データと前記照合データとに基づいて、同一物品であるか否かを判定する物品管理方法。
【請求項１２】
前記基準データ及び前記照合データの取得は、物品の一部に光を照射した反射光または透過光を読み取ることによって、濃度を表す画像データを取得することを特徴とする請求項１１に記載の物品管理方法。
【請求項１３】
前記基準データ及び前記照合データの読み取りは、シート状または平板状の形状を有する物品の一部を読み取ることを特徴とする請求項１１又は請求項１２に記載の物品管理方法。
【請求項１４】
前記基準データ及び前記照合データの読み取りは、物品の一部として紙の表面の凹凸を読み取ることを特徴とする請求項１１乃至請求項１３の何れか１項に記載の物品管理方法。
【請求項１５】
同一物品であるか否かの判定結果を更に報知することを特徴とする請求項１１乃至請求項１４の何れか１項に記載の物品管理方法。
【請求項１６】
前記基準データを取得する際に、物品の種類を表す種類情報を更に読み取ると共に、該種類情報に基づいて物品の種類毎に予め定めた読み取り位置を読み取ることで基準データを取得し、
前記照合データを取得する際に、前記種類情報を更に読み取ると共に、該種類情報に基づいて物品の種類毎に予め定められた読み取り位置を読み取ることで照合データを取得するを特徴とする請求項１１乃至請求項１５の何れか１項に記載の物品管理方法。
【発明の詳細な説明】
【技術分野】
【０００１】
本発明は、物品管理システム及び物品管理方法にかかり、特に、書籍等の物品の販売から転売までを管理する物品管理システム及び物品管理方法に関する。
【背景技術】
【０００２】
近年、転売を目的とした書店での万引きが急増しており、社会的な問題となってきている。このような社会的な問題を解決するために各種技術が提案されている。
【０００３】
例えば、特許文献１に記載の技術では、書籍及びＣＤなどの商品、またはそれらのカバーあるいはケース等に非接触型のＩＣタグを貼り付け、システムラック上に再配置し、システムラック上からの商品の取り出し、またはシステムラック上への商品の返却などの履歴を、非接触型ＩＣタグ用リーダ・ライタを使用して、認識、管理、検索、データ処理まで全てを行うシステムが提案されている。
【０００４】
また、特許文献２に記載の技術では、書籍本体の表紙となる表紙材料に書籍本体の本文中身を糊付けするくるみ工程を有してなる製本方法において、表紙材料における本文中身が糊付けされる部分に、磁性体よりなるシート上のタグを予め、くるみ作業に用いる糊と同じ糊にて仮付けしておくことが提案されており、書籍に糊付けした磁性体を使用して書籍の管理が行われる。
【０００５】
また、特許文献３に記載の技術では、万引き防止タグとＩＣタグを書籍の表紙等に設けることが提案されている。
【特許文献１】特開平１１−１３０２１３号公報
【特許文献２】特開２００１−３１５４６４号公報
【特許文献３】特開２００２−３３７４８２号公報
【発明の開示】
【発明が解決しようとする課題】
【０００６】
しかしながら、従来の技術では、何れもＩＣタグや磁性体等を書籍などに貼り付ける必要があり、材料費、貼付工数などのコストがかかってしまう。例えば、１冊数百円の本などに対してはコストの増加率が大きい、という問題がある。
【０００７】
本発明は、上記問題を解決すべく成されたもので、特別なデバイスを付加することなく、容易に物品管理を行うことを目的とする。
【課題を解決するための手段】
【０００８】
上記目的を達成するために請求項１に記載の物品管理システムは、ランダム性を有する読取り可能な固有の特徴が表面に沿って分布している固体の一意の特徴を表す固有情報を物品の一部から読み取ることで基準データを取得する読取手段と、前記読取手段によって取得した前記基準データを記憶する記憶手段と、を備えた物品情報登録装置と、前記固有情報を物品の一部から読み取ることで照合データを取得する照合読取手段と、前記記憶手段に記憶された前記基準データを取得する取得手段と、前記取得手段によって取得した前記基準データと、前記照合読取手段によって取得した前記照合データとに基づいて、同一物品であるか否かを判定する判定手段と、を備えた物品照合装置と、からなることを特徴としている。
【０００９】
請求項１に記載の発明によれば、物品情報登録装置では、読取手段によってランダム性を有する読取り可能な固有の特徴が表面に沿って分布している固体の一意の特徴を表す固有情報が物品の一部から読み取られることで基準データが取得され、記憶手段では、読取手段によって読取られた基準データが記憶される。
【００１０】
一方、物品情報照合装置では、照合読取手段によってランダム性を有する読取り可能な固有の特徴が表面に沿って分布している固体の一意の特徴を表す固有情報が物品の一部から読み取られることで照合データが取得され、取得手段によって物品情報登録装置の記憶手段に記憶さた基準データが取得され、判定手段によって基準データと照合データとに基づいて、同一物品か否か判定される。
【００１１】
例えば、物品を販売する際などに、物品情報登録装置によってランダム性を有する読取り可能な固有の特徴が表面に沿って分布している固体の一意の特徴を表す固有情報を物品の一部から読み取って基準データとして記憶しておくことで、当該物品が転売される際などに、物品情報照合装置によってランダム性を有する読取り可能な固有の特徴が表面に沿って分布している固体の一意の特徴を表す固有情報を物品の一部から読み取って、記憶された基準データと転売時に読み取ることによって取得した照合データとに基づいて、同一物品か否かを判定することで、盗難品か否かを判断することが可能となり、物品を管理することができる。
【００１２】
すなわち、ランダム性を有する読取り可能な固有の特徴が表面に沿って分布している固体の一意の特徴を表す固有情報を物品の一部から読み取ることで物品を管理することができるので、特別なデバイスを付加することなく、容易に物品管理を行うことができる。
【００１３】
例えば、物品情報登録装置と物品情報照合装置は、請求項２に記載の発明のように、ネットワーク接続されて、取得手段がネットワークを介して記憶手段から基準データを取得するようにしてもよいし、ネットワーク接続せずに、請求項３に記載の発明のように、取得手段が、記録媒体を介して記憶手段に記憶された基準データを取得するようにしてもよい。
【００１４】
また、請求項４に記載の発明のように、記憶手段に記憶された基準データを蓄積するサーバを更に備え、物品情報登録装置、物品情報照合装置、及びサーバがネットワーク接続されて、物品情報登録装置が記憶手段に記憶された基準データをネットワークを介してサーバに登録し、物品情報照合装置が取得手段によってサーバからネットワークを介して基準データを取得するようにしてもよい。
【００１５】
請求項５に記載の物品管理システムは、ランダム性を有する読取り可能な固有の特徴が表面に沿って分布している固体の一意の特徴を表す固有情報を物品の一部から読み取ることで基準データを取得する読取手段と、前記読取手段によって取得した前記基準データをネットワークを介して外部に出力する出力手段と、を備えた物品情報登録装置と、ネットワークを介して前記出力手段から出力された前記基準データを記憶する記憶手段と、ネットワークを介して前記基準データと照合するための照合データを受信し、前記記憶手段に記憶された前記基準データと、該照合データとに基づいて、同一物品であるか否かを判定する判定手段と、前記判定手段の判定結果をネットワークを介して  前記照合データの送信元に送信する送信手段と、を備えたサーバと、前記固有情報を物品の一部から読み取ることで照合データを取得する照合読取手段と、前記照合読取手段によって取得した前記照合データをネットワークを介して前記サーバに送信することにより、前記記憶手段に記憶された前記基準データと同一物品であるかの照合を要求する要求手段と、前記送信手段から送信される前記判定手段の判定結果を受信する受信手段と、を備えた物品照合装置と、からなることを特徴としている。
【００１６】
請求項５に記載の発明によれば、物品情報登録装置では、読取手段によってランダム性を有する読取り可能な固有の特徴が表面に沿って分布している固体の一意の特徴を表す固有情報が物品の一部から読み取られることで基準データが取得され、出力手段によって、基準データがネットワークを介して外部に出力される。
【００１７】
サーバでは、記憶手段によってネットワークを介して出力手段から出力された基準データが記憶される。また、判定手段では、ネットワークを介して基準データと照合するための照合データが受信され、該照合データと基準データとに基づいて同一物品であるかか否か判定される。
【００１８】
そして、物品情報照合装置では、照合読取手段によってランダム性を有する読取り可能な固有の特徴が表面に沿って分布している固体の一意の特徴を表す固有情報が物品の一部から読み取られることで照合情データが取得され、要求手段では照合読取手段によって取得され照合データをネットワークを介してサーバに送信することより、記憶手段に記憶された基準データと同一物品であるかの照合が要求され、受信手段ではサーバの送信手段から送信される判定手段の判定結果が受信される。
【００１９】
例えば、物品を販売する際などに、物品情報登録装置によってランダム性を有する読取り可能な固有の特徴が表面に沿って分布している固体の一意の特徴を表す固有情報を物品の一部から読み取って、ネットワークを介してサーバに基準データとして記憶させておき、当該物品が転売される際などに、物品情報照合装置によってランダム性を有する読取り可能な固有の特徴が表面に沿って分布している固体の一意の特徴を表す固有情報を物品の一部から読み取って、サーバに対して照合データとして送信して基準データとの照合要求を行って、サーバが照合結果を物品情報照合装置に送信することで、盗難品か否かを判断することが可能となり、物品を管理することができる。
【００２０】
すなわち、請求項１乃至請求項４の何れか１項に記載の発明と同様に、ランダム性を有する読取り可能な固有の特徴が表面に沿って分布している固体の一意の特徴を表す固有情報を物品の一部から読み取ることで物品を管理することができるので、特別なデバイスを付加することなく、容易に物品管理を行うことができる。
【００２１】
なお、読取手段及び照合読取手段は、請求項６に記載の発明のように、物品の一部に光を照射した反射光または透過光を読み取ることによって、濃度を表す画像データを取得するようにしてもよい。
【００２２】
また、読取手段及び照合読取手段は、請求項７に記載の発明のように、シート状または平板状の形状を有する物品の一部を読み取るようにしてもよい。
【００２３】
更に、読取手段及び照合情報読取手段は、請求項８に記載の発明のように、物品の一部として紙の表面の凹凸を読み取るようにしてもよい。
【００２４】
また、物品情報照合装置は、請求項９に記載の発明のように、判定手段による判定結果を報知する報知手段を更に備えるようにしてもよい。例えば、表示装置等の報知手段を備えることで、判定手段の判定結果に応じて買い取りの許可や禁止が可能となる。
【００２５】
また、読取手段及び照合読取手段は、請求項１０に記載の発明のように、読取手段が、物品の種類を表す種類情報を更に読み取ると共に、該種類情報に基づいて物品の種類毎に予め定められた読み取り位置を基準データを取得し、照合読取手段が、種類情報を更に読み取ると共に、該種類情報に基づいて物品の種類毎に予め定められた読み取り位置を読み取ることで照合データを取得するようにしてもよい。このようにすることで、基準データと照合データを取得する際の物品の読み取り位置を統一することが可能となる。
【００２６】
請求項１１に記載の物品管理方法は、ランダム性を有する読取り可能な固有の特徴が表面に沿って分布している固体の一意の特徴を表す固有情報を物品の一部から読み取ることで基準データを取得して記憶しておき、前記固有情報を物品の一部から読み取ることで照合データを取得し、記憶しておいた前記基準データと前記照合データとに基づいて、同一物品であるか否かを判定することを特徴としている。
【００２７】
請求項１１に記載の発明によれば、例えば、物品を販売する際などに、ランダム性を有する読取り可能な固有の特徴が表面に沿って分布している固体の一意の特徴を表す固有情報を物品の一部から読み取ることで基準データを取得して記憶しておき、当該物品が転売される際などに、ランダム性を有する読取り可能な固有の特徴が表面に沿って分布している固体の一意の特徴を表す固有情報を物品の一部から読み取ることで照合データを取得して、記憶した基準データと転売時に取得した照合データとに基づいて、同一物品か否かを判定することで、盗難品か否かを判断することが可能となり、物品を管理することができる。
【００２８】
すなわち、ランダム性を有する読取り可能な固有の特徴が表面に沿って分布している固体の一意の特徴を表す固有情報を物品の一部から読み取ることで物品を管理することができるので、特別なデバイスを付加することなく、容易に物品管理を行うことができる。
【００２９】
なお、基準情報及び照合情報の取得は、請求項１２に記載の発明のように、物品の一部に光を照射した反射光または透過光を読み取ることによって、濃度を表す画像データを取得するようにしてもよい。
【００３０】
また、基準情報及び照合情報の読み取りは、請求項１３に記載の発明のように、シート状または平板状の形状を有する物品の一部を読み取るようにしてもよい。
【００３１】
更に、基準情報及び照合情報の読み取りは、請求項１４に記載の発明のように、物品の一部として紙の表面の凹凸を読み取るようにしてもよい。
【００３２】
また、請求項１１乃至請求項１４の何れか１項に記載の発明は、請求項１５に記載の発明のように、同一物品であるか否かの判定結果を更に報知するするようにしてもよい。例えば、表示装置等を用いて判定結果を報知することで、判定結果に応じて買い取りの許可や禁止が可能となる。
【００３３】
また、基準データを取得する際、及び照合データを取得する際には、請求項１６に記載の発明のように、基準データを取得する際に、物品の種類を表す種類情報を更に読み取ると共に、該種類情報に基づいて物品の種類毎に予め定められた読み取り位置を読み取ることで基準データを取得し、照合データを取得する際に、種類情報を更に読み取ると共に、該種類情報に基づいて物品の種類毎に予め定められた読み取り位置を読み取ることで照合データを取得するようにしてもよい。このようにすることで、基準データと照合データを取得する際の物品の読み取り位置を統一することが可能となる。
【発明の効果】
【００３４】
以上説明したように本発明によれば、ランダム性を有する読取り可能な固有の特徴が表面に沿って分布している固体の一意の特徴を表す固有情報を物品の一部から読み取ることで基準データを取得して記憶しておき、ランダム性を有する読取り可能な固有の特徴が表面に沿って分布している固体の一意の特徴を表す固有情報を物品の一部から読み取ることで照合データを取得して、記憶した基準データと照合データとに基づいて、同一物品であるか否かを判定することで、ランダム性を有する読取り可能な固有の特徴が表面に沿って分布している固体の一意の特徴を表す固有情報を物品の一部から読み取ることで物品を管理することができるので、特別なデバイスを付加することなく、容易に物品管理を行うことができる、という効果がある。
【発明を実施するための最良の形態】
【００３５】
以下、図面を参照して本発明の実施の形態の一例を詳細に説明する。なお、本発明の実施の形態は書籍管理システムに本発明を適用したものである。
【００３６】
本発明の実施の形態に係わる書籍管理システムは、書籍情報登録装置と書籍情報照合装置とで構成されており、新しい書籍を販売する際に書籍情報登録装置で書籍を登録し、転売目的で持ち込まれた書籍が書籍情報登録装置に登録された書籍か否かを書籍情報照合装置で照合するようになっている。すなわち、盗難品か否かを書籍情報照合装置で判断することができる。
【００３７】
図１は、本発明の実施の形態に係わる書籍情報登録装置の構成を示す機能ブロック図である。
【００３８】
書籍情報登録装置１０は、書籍情報読取部１２、書籍固有情報変換部１４、書籍固有情報記憶部１６、及び制御部１８で構成され、制御部１８によって書籍情報登録装置１０が制御される。
【００３９】
書籍情報読取部１２は、書籍の一部から書籍情報を読み取る。書籍情報は、書籍の任意のページから紙を形成する繊維質材料の絡み具合のランダム性に紙の凹凸のランダムな変化を読み取る。すなわち、書籍は、紙で構成されており、紙を形成する繊維質材料の絡み具合を製造時に制御することは不可能であるので、紙を形成する繊維質材料の絡み具合はランダムと見なすことができる。そこで、書籍情報読取部１２は、書籍の固有情報として紙を形成する繊維質材料の絡み具合のランダム性に起因する紙上のある領域内における紙の凹凸のランダムな変化を読み取る。書籍情報読取部１２は、例えば、書籍の任意のページに光を照射したときの反射光または透過光を光学的に読み取る。なお、本実施の形態では、書籍情報読取部１２は、紙の凹凸のランダムな変化を読み取るとしたが、光学的に読み取るので、書籍情報読取部１２によって読み取る紙の凹凸のランダムな変化は、紙の透明度のランダムな変化として捉えることもできる。すなわち、書籍情報読取部１２は、紙の透明度のランダムな変化を読取るようにしてもよい。
【００４０】
書籍固有情報変換部１４は、書籍情報読取部１２によって読み取った書籍情報を書籍固有情報に変換する。書籍固有情報変換部１４は、例えば、書籍情報読取部１２によって読み取ることによって得られる信号をデジタルデータに変換して出力する信号処理を含んで構成し、所定の解像度（例えば、４００ｄｐｉ等）かつ所定の階調（例えば、８ビットグレイスケール等）のデジタルデータに変換する。
【００４１】
書籍固有情報記憶部１６は、書籍固有情報変換部１４によって変換されたデジタルデータの書籍固有情報が記憶される。
【００４２】
図２は、本発明の実施の形態に係わる書籍情報照合装置の構成を示す機能ブロック図である。
【００４３】
書籍情報照合装置２０は、書籍情報登録装置１１、書籍固有情報管理部２２、書籍情報入力部２４、書籍固有情報記憶部２６、固有情報比較部２８、固有情報判定部３０、及び制御部３２で構成され、制御部３２によって書籍情報照合部２０が制御される。
【００４４】
書籍情報登録装置１１は、上述の書籍情報登録装置１０と同一構成とされており、書籍情報読取部１２を含んで構成され、書籍情報登録装置１１に含まれる書籍情報読取部１２で読み取った書籍情報が固有情報比較部２８に出力される。
【００４５】
書籍固有情報管理部２２は、上述の書籍情報登録装置１０によって登録された書籍固有情報の保存及び管理を行い、書籍固有情報入力部２４は、書籍固有情報管理部２２に保存及び管理されている書籍固有情報を入力する。そして、書籍固有情報入力部２４によって入力された書籍固有情報が、書籍固有情報記憶部２６に一時記憶される。
【００４６】
固有情報比較部２８は、書籍情報登録装置１１に含まれる書籍情報読取部で読取ることによって得られる書籍固有情報と、書籍固有情報記憶部２６に一時記憶された書籍固有情報とを比較し、比較結果を固有情報判定部３０に出力する。
【００４７】
固有情報判定部３０は、固有情報比較部２８から出力される比較結果に基づいて書籍情報登録装置１１に含まれる書籍情報読取部で読み取ることで得られる書籍固有情報と、書籍固有情報記憶部２６に一時記憶されている、書籍固有情報管理部２２から入力した書籍固有情報とが同一の書籍固有情報であるか否かを判定し、同一の書籍固有情報であった場合には、書籍情報照合装置１１に含まれる書籍情報読取部で読み取った書籍が、かつて書籍情報登録装置１０で登録された書籍であることを確認することができる。
【００４８】
続いて、本発明の実施の形態に係わる書籍管理システムの詳細な一例について説明する。図３は、本発明の実施の形態に係わる書籍管理システムの詳細例を示す図である。
【００４９】
本発明の実施の形態に係わる書籍管理システムは、例えば、図３に示すように、書店にフラットベット型スキャナ３４を接続したコンピュータ３６を設けて、各書店のコンピュータ３６をネットワーク３８で接続することによって構成できる。或いは、ネットワーク３８に接続しない場合には、記録媒体を介してデータの授受を行うようにしてもよい。また、本実施の形態では、ネットワーク３８に書籍固有情報を管理するサーバ４０が接続されている。
【００５０】
すなわち、各書店のコンピュータ及びスキャナ３４は上述の書籍情報登録装置１０に対応すると共に、書籍情報照合装置２０に対応し、サーバ４０は上述の書籍情報照合装置２０の書籍固有情報管理部２２に対応する。
【００５１】
各コンピュータ３６は、図４に示すように、ＣＰＵ３６Ａ、ＲＯＭ３６Ｂ、ＲＡＭ３６Ｃ、ハードディスク（ＨＤＤ）３６Ｄ、及び外部インタフェース（Ｉ／Ｆ）３６Ｅがバス３６Ｆに接続されて構成されており、外部Ｉ／Ｆ３６Ｅを介してフラットベット型スキャナ（以下、単にスキャナとういう。）３４が接続される。また、バス３６Ｆには、キーボード３６Ｇ、マウス３６Ｈ、ディスプレイ３６Ｉ等の各種周辺機器も接続されている。
【００５２】
ＨＤＤ３６Ｄには、書籍情報登録装置１０として機能させるための登録プログラムが記憶されると共に、書籍情報照合装置２０として機能させるための照合プログラムが記憶されており、ＣＰＵ３６Ａの制御によって各プログラムを起動することで、各コンピュータ３６が上述の書籍情報登録装置１０や書籍情報照合装置２０として機能する。なお、各プログラムはＲＯＭ３６Ｂに記憶するようにしてもよいし、コンピュータ３６の外部にＨＤＤを接続して記憶するようにしてもよい。
【００５３】
本実施の形態では、コンピュータ３６に接続されたスキャナ３４が、上述の書籍情報登録装置１０の書籍情報読取部１２として機能するが、これに限るものではなく、例えば、ＣＣＤエリアセンサとＣＣＤエリアセンサの視野に光を照射する照明との組み合わせを適用するようにしてもよいし、デジタルカメラ等を適用するようにしてもよい。
【００５４】
また、本実施の形態では、書籍固有情報変換部１４はコンピュータ３６のプログラムを起動することによって機能するものとして説明するが、マイクロコンピュータを含んで構成した専用の信号処理回路を適用するようにしてもよいし、コンピュータ３６と専用の信号処理回路の双方がそれぞれ入出力ポートを介して接続されている構成としてもよい。
【００５５】
また、本実施の形態の詳細例では、ＨＤＤ３６Ｄが上述の書籍固有情報記憶部１６として機能するが、例えば、光や磁気などで記録可能な記録媒体を適用するようにしてもよいし、コンピュータ３６の外部に接続したＨＤＤを適用するようにしてもよい。
【００５６】
続いて、上述の登録プログラムを用いた書籍固有情報の登録方法について説明する。
【００５７】
書籍固有情報の登録は、例えば、書店の代金支払い場所に、コンピュータ３６及びスキャナ３４を設置して、上述の登録プログラムを起動する。
【００５８】
例えば、書店にて書籍を購入して代金を支払う際に、まず、始めに、予め書籍に付されている、ＩＳＢＮ（International Standard Book Number）、書籍ＪＡＮコード（Japanese Article Number）等のコードをバーコードリーダやスキャナ３４等で読取り、書籍固有情報画像データのファイル名、読取った日時、書店固有番号（例えば、書店の代表電話番号等）などの情報をキーボード３６Ｇやマウス３６Ｈを用いて入力する。
【００５９】
そして、書店の店員が図５に示すようにスキャナ３４に書籍の所定ページを開いて載置し、登録プログラムが起動されているコンピュータ３６のディスプレイ３６Ｉの指示に従ってマウス３６Ｈやキーボード３６Ｇを用いて書籍固有情報登録開始命令を入力する（例えば、ディスプレイ３６Ｉ上に表示されている書籍固有情報登録のボタンをマウス３６Ｈでクリックする）。なお、所定ページは、本実施の形態では、ＩＳＢＮや書籍ＪＡＮコード毎に予め定められたページが設定されており、ＩＳＢＮや書籍ＪＡＮコードが入力された時に、予め定められたページがディスプレイ３６Ｉに表示され、店員は該表示に従ったページをスキャナ３４に載置する。
【００６０】
これによって、書籍の所定ページの所定領域（例えば、図５に示す点線で示す正方形領域Ｒ、４００ｄｐｉの場合には３２×３２ｄｏｔで約２ｍｍ×約２ｍｍ）の表面状態が、所定の解像度（例えば４００ｄｐｉ）かつ所定の階調（例えば８ビットグレイスケール）で読み取られ、得られた画像データがスキャナ３４からコンピュータ３６に転送され、ＨＤＤ３６Ｄに記憶される。読取解像度が４００ｄｐｉ、読取階調が８ビットグレイスケール、読取対象の正方形領域（基準領域）Ｒを３２×３２ｄｏｔの場合には、画像データ（基準データ）のサイズは１０２４バイトとなり、個々の画素の階調値は０〜２５５の範囲内の整数値となる。読取りによって得られる画像データ（基準データ）に基づき、該基準データを可視化した画像の一例を図６に示す。なお、書籍の固有情報を読取る領域は、書籍カバー等のように、樹脂や塗料などでコーティングされていたり、プラスチックなどのフィルムでラミネートされていない部分の方が好ましい。
【００６１】
そして、このようにしてスキャナ３４で読取ることによって得られる画像データを、バーコードリーダやスキャナ３４等で読取ったＩＳＢＮ、書籍ＪＡＮコード等のコードと、入力された書籍固有情報画像データのファイル名、読取った日時、書店固有番号（例えば、書店の代表電話番号等）などと一緒にＨＤＤ３６Ｄに図７に示すようなデータベースとして記憶する。
【００６２】
また、本実施の形態では、各コンピュータ３６がネットワーク３８を介してサーバ４０に接続されているので、ネットワーク３８を介して書籍固有情報管理用のサーバ４０に上述のデータベースを転送し、書籍固有情報管理用のサーバ４０に書籍固有情報を登録する。なお、所定のコンピュータ３６がネットワーク３８に接続されていない場合には、フレキシブルディスクやＣＤ−Ｒ等のように、光や磁気でデジタル情報を記録可能な記録媒体にデータを記録して、該記録媒体を介してサーバ４０にデータを登録するようにしてもよい。
【００６３】
次に、上述の照合プログラムを用いた書籍の固有情報の照合方法について説明する。
【００６４】
固有情報の照合は、例えば、書籍を買い取ってくれる書店等の書籍買い取り場所に、上述のコンピュータ３６及びスキャナ３４を設置して、上述の照合プログラムを起動する。また、書籍に付されているＩＳＢＮや書籍ＪＡＮコード等をバーコードリーダやスキャナ３４等で読取る。
【００６５】
転売目的で書籍が持ち込まれた場合、書店の店員が予め書籍に付されている、ＩＳＢＮや書籍ＪＡＮコード等のコードをバーコードリーダやスキャナ３４等で読み取る。これによって、ＩＳＢＮや書籍ＪＡＮコードからＩＳＢＮや書籍ＪＡＮコード毎に予め定められた所定ページがディスプレイ３６Ｉに表示される。店員は、ディスプレイ３６Ｉに表示された書籍の所定ページを開いてスキャナ３４に載置し、照合プログラムが起動されているコンピュータ３６のディスプレイ３６Ｉの指示に従ってマウス３６Ｈやキーボード３６Ｇを用いて書籍固有情報照合開始命令を入力する（例えば、ディスプレイ３６Ｉ上に表示されている書籍固有情報照合のボタンをマウス３６Ｈでクリックする）。
【００６６】
これによって、書籍の所定ページの所定領域（例えば、４００ｄｐｉの場合、６４×６４ｄｏｔで約４ｍｍ×約４ｍｍ）の表面の状態が、所定の解像度（例えば、４００ｄｐｉ）かつ所定の階調（例えば、８ビットグレイスケール）で読み取られ、得られた画像データがスキャナ３４からコンピュータ３６に転送され、コンピュータ３６のＨＤＤ３６Ｄに記憶される。読取解像度が４００ｄｐｉ、読取階調を８ビットグレイスケール、読取対象の基準領域を６４×６４ｄｏｔとしているので、画像データのサイズは４０９６バイトとなり、個々の画素の階調値は０〜２５５の範囲内の整数値となる。なお、固有情報が登録された所定ページ及び固有情報が登録された所定領域は、予め各書店において共通に認識されているものとしてもよい。
【００６７】
次に、転売されようとしている書籍が、正規の手続によって購入されたものか否か（盗難品か否か）を調べるために、ネットワーク３８を介して書籍固有情報管理用のサーバ４０から正規の手続によって購入された書籍固有情報の画像データをコンピュータ３６に取り込んで、先に記憶した書籍固有情報画像データと比較し、同一の画像データであるか否かを照合する。なお、詳細な照合方法については後述する。
【００６８】
ここで、照合結果がない場合、すなわち、持ち込まれた書籍が正規の手続によって購入されたものではい場合には、ディスプレイ３６Ｉ上にその旨が表示され、買い取りを拒否することができる。
【００６９】
なお、照合を行う際に、同一の画像データとされるまでは、書籍固有情報管理用のサーバ４０に登録されている書籍固有情報の画像データとの照合を行うが、同一の画像データが存在しない場合、すなわち、持ち込まれた書籍が正規の手続で購入されたものではなかった場合には、書籍固有情報管理用のサーバ４０の登録されている全ての書籍固有情報の画像データと照合を行うことになる。すなわち、書籍固有情報管理用のサーバ４０に登録されている書籍固有情報の画像データの数が多くなればなるほど照合に時間の掛かることになる。照合時間を短縮するために、まず、書籍の固有情報を照合する時に、ＩＳＢＮや書籍ＪＡＮコードを用いて、書籍固有情報管理用のサーバ４０に登録されている書籍固有情報の画像データのデータベースから該当する書籍の書籍固有情報画像データを絞った上で照合するようにしてもよい。さらに、書籍が発売された日時等を入力して、その日時以降に登録された書籍固有情報の画像データのみから照合するようにしてもよい。さらには、書籍固有情報の画像データが登録された書店を買い取り書店が位置する地域の周りの書店から順に広げていって照合するようにしてもよい。
【００７０】
次に、上述の書籍固有情報管理用のサーバ４０に登録された書籍固有情報の画像データと、書店に持ち込まれた書籍から読取ることによって得られる画像データとの照合について説明する。詳細には、本出願人によって既に出願されている特願２００４−８５２１２号に記載の真偽判定方法を適用する。
【００７１】
すなわち、スキャナ３４により、４００ｄｐｉの解像度で８ビットグレイスケールの課長で紙（原本）の見印刷の部分の３２×３２ｄｏｔ（約２ｍｍ×約２ｍｍ）の基準領域を読み取り、スキャナ３４から出力された画像データ（この画像データは、紙を形成する繊維質材料の絡み具合のランダム性に起因する紙（原本）上の基準領域内における紙の凹凸のランダムな変化を示している）を基準データとして記憶する（本実施の形態では、書籍情報登録装置１０による書籍固有情報の登録を行う）。図８（Ａ）には基準データを「基準画像」として視覚化（目視での確認が容易なようにコントラストを補正）して示す。
【００７２】
紙を形成する繊維質材料の絡み具合を製造時に制御することは不可能であるので、紙を形成する繊維質材料の絡み具合はランダムと見なすことができる。紙を形成する繊維質材料の絡み具合は透過光顕微鏡を用いれば観察できる。一方、図８（Ａ）に示す「基準画像」では、繊維質材料の絡み具合までは確認できないものの、繊維質材料の絡み具合のランダム性に起因する（紙を漉くときの諸条件により生じる紙表面の凹凸も影響している可能性もある）紙の凹凸のランダムな変化を反映したランダムな明暗のパターンが生じているので、基準画像に対応する基準データが、紙（原本）上の基準領域内における紙（原本）に固有の特徴、すなわち紙（原本）上の基準領域内の凹凸のランダムな変化を表す固有情報となっていることが確認できる。
【００７３】
次に、比較例として、基準画像として用いた紙のうちの６４×６４ｄｏｔ（約４ｍｍ×約４ｍｍ）の照合領域（上述の基準領域を含む領域）の読み取りを行い、スキャナ３４から出力された画像データを第１の照合データとして記憶した。この第１の照合データは、紙（原本）の前記照合領域内における紙の凹凸のランダムな変化を表している。なお、図８（Ｂ）には第１の照合データを「照合画像」として視覚化して示す。
【００７４】
また、照合結果が同一か否かを誤判定される確率が高いケースとして、原本として紙を、第１の照合データ取得時に対して位置を若干ずらすと共に向きを若干回転させてスキャナ３４の原稿台上に載置した状態で、６４×６４ｄｏｔの照合領域の読み取りを行い（これにより第１の照合データ取得時に対して位置及び向きが若干異なる領域が読み取られることになる）、スキャナ３４から出力された画像データを第２の照合データとして記憶した。更に、別の比較例として原本として用いた紙とは異なる紙のうちの６４×６４ｄｏｔの照合領域を読み取り、スキャナ３４から出力された画像データを第３の照合データとして記憶した。
【００７５】
次に、第１〜第３の照合データが各々表す第１〜第３の照合画像と基準データが表す基準画像との相関値を各々演算した。具体的には、例として図９に示すように、演算対象の照合画像から基準画像と同一サイズの部分領域（図９では「相関値演算範囲」と表記して示す）を抽出し、部分領域と基準画像との相関値を正規化相関法により演算する（次の（１）式参照）ことを、照合画像上での部分領域の位置をＸ方向及びＹ方向に１ｄｏｔ（画素）ずつずらしながら繰り返した。
【００７６】
【数１】
2006171900.tif 000003
【００７７】
但し、Ｆは基準画像（基準データの集合）、ｆiは基準画像の個々の画素の明度値、Ｎは基準画像（及び照合画像の部分領域）の総画素数、Ｇは照合画像の部分領域（の集合）、ｇiは照合画像の部分領域の個々の画素の明度値の平均値である。第１〜第３の照合画像を演算対象の照合画像として上記の演算を各々行うことで、基準画像のドット数をｍ×ｎ、照合画像のドット数をＭ×Ｎとすると、単一の照合画像当たり（Ｍ−ｍ＋１）×（Ｎ−ｎ＋１）個の相関値が得られる。
【００７８】
続いて第１〜第３の照合画像に対し、相関値の分布具合を表す特徴量として、相関値の最大値のノーマライズド・スコアを次の（２）式に従って各々演算した。
ノーマライズド・スコア＝（相関値の最大値−相関値の平均値）÷相関値の標準偏差
…（２）
図１０（Ａ）〜（Ｂ）には、相関値の最大値及び相関値の最大値のノーマライズド・スコアの演算結果を、照合画像上での部分領域の位置と相関値の関係を視覚的に示すチャートと共に示す。
【００７９】
図１０（Ａ）に示すように、同一の紙上の基準領域を含む照合領域を、位置及び向きのずれなく読み取った場合、相関値の最大値は非常に高い値を示す。また、相関値の分布も、相関値が最大となっているピーク部分以外の部分では、最大値に比して相関値が非常に低い値を示しており、これに伴い相関値の最大値のノーマライズド・スコアも非常に高い値を示している。また、原本と異なる紙を読み取った場合には、図１０（Ｃ）に示すように、相関値の最大値は非常に低い値となり、相関値の分布についても、ピーク部分を含めて全体的に相関値が低い値を示しているので、相関値の最大値のノーマライズド・スコアも非常に低い値となっている。
【００８０】
一方、同一の紙上の基準領域を含む照合領域を位置及び向きを若干変えて読み取った場合、相関値の最大値および相関値の最大値のノーマライズド・スコアは、図１０（Ｂ）に示すように何れも同一の紙を位置及び向きのずれなく読み取った場合と異なる紙を読み取った場合の中間的な値となる。このため、相関値の最大値及び相関値の最大値のノーマライズド・スコアの閾値として図１０（Ｂ）に示す値と図１０（Ｃ）に示す値の中間的な値を採用し（例えば相関値の最大値の閾値≒０．３、相関値の最大値のノーマライズド・スコアの閾値＝５．０）、相関値の最大値を閾値と比較すると共に、相関値の最大値のノーマライズド・スコアを閾値と比較することで、同一か否かの照合判定を行うようにすれば、照合領域読み取り時の紙の位置及び向きが若干ずれている等のように誤判定される確率が高いケースにおいても、相関値の最大値のみを用いて判定を行う場合よりも、判定精度を向上することができる。
【００８１】
続いて、本発明の実施の形態に係わる書籍管理システムの動作について説明する。
【００８２】
まず、始めにコンピュータ３６が書籍情報登録装置１０として機能する時のコンピュータ３６で行われる処理の流れについて説明する。図１１は、コンピュータ３６が書籍情報登録装置１０として機能する時のコンピュータ３６で行われる処理の流れの一例を示すフローチャートである。
【００８３】
ステップ１００では、書籍情報を入力する旨がディスプレイ３６Ｄに表示され、ステップ１０２へ移行し、書籍情報が入力されたか否か判定される。すなわち、ＩＳＢＮや書籍ＪＡＮコード、登録するファイル名、読み取る日時、書店固有番号等の書籍情報の入力がなされたか否か判定され、該判定が肯定されるまで待機してステップ１０４へ移行する。なお、読み取る日時や書店固有番号等は自動的に入力されるようにしてもよい。
【００８４】
ステップ１０４では、ＩＳＢＮや書籍ＪＡＮコード毎に予め定められた登録すべき所定ページの位置がディスプレイ３６Ｄに表示される。これによって、店員は、スキャナ３４に登録すべき所定ページを開いて載置する。
【００８５】
そして、ステップ１０６では、登録指示がなされたか否か判定される。該判定は、登録指示を表す指示がキーボード３６Ｇやマウス３６Ｈ等を用いてなされたか否か判定され、該判定が肯定されるまで待機してステップ１０８へ移行する。
【００８６】
ステップ１０８では、所定ページの所定領域の読み取り処理が行われる。すなわち、コンピュータ３６からスキャナ３４に対して読み取り指示を出力する。これによって、上述したように、４００ｄｐｉの場合には３２×３２ｄｏｔで約２ｍｍ×約２ｍｍの表面状態が、所定の解像度（例えば４００ｄｐｉ）かつ所定の階調（例えば８ビットグレイスケール）で読み取られ、得られた画像データがスキャナ３４からコンピュータ３６に転送される。
【００８７】
ステップ１１０では、読み取り完了したか否か判定され、該判定が肯定されるまで待機してステップ１１２へ移行する。
【００８８】
ステップ１１２では、入力された書籍情報（例えば、ＩＳＢＮ、書籍ＪＡＮコード、登録するファイル名、読み取る日時、書籍固有番号等）と共に、読み取りによって得られた画像データが基準データとしてＨＤＤ３６Ｄに記憶され、ステップ１１４へ移行する。
【００８９】
ステップ１１４では、ＨＤＤ３６Ｄに記憶された基準データがネットワーク３８を介してサーバ４０に転送され、一連の登録処理を終了する。なお、ＨＤＤ３６ｄに記憶された基準データをサーバ４０に転送後に、コンピュータ３６内の基準データは削除するようにしてもよい。
【００９０】
続いて、書籍固有情報管理用のサーバ４０で行われる処理の流れの一例について説明する。図１２は、書籍固有情報管理用のサーバ４０で行われる処理の流れの一例を示すフローチャートである。なお、図１２のサーバ４０で行われる処理は、サーバ４０がデータを受信した時や、データ要求待ち等で予め定められたタイミング等で開始されるが、これに限定されるものではない。
【００９１】
ステップ１５０では、登録対象データを受信したか否か判定される。すなわち、書籍情報登録装置１０として機能しているコンピュータ３６から上述のステップ１１４で送信された基準データが送信されてきたか否かが判定され、該判定が肯定された場合には、ステップ１５２へ移行し、否定された場合には、ステップ１５４へ移行する。
【００９２】
ステップ１５２では、登録データ（書籍情報登録装置１０として機能しているコンピュータ３６から送信されてきた基準データ）がデータベースとして記憶されて、ステップ１５４へ移行する。
【００９３】
ステップ１５４では、登録データ要求がなされたか否か判定される。該判定は、書籍情報照合装置２０として機能しているコンピュータ３６から、登録されているデータベースの取得要求がなされたか否か判定され、該判定が肯定された場合には、ステップ１５６へ移行し、否定された場合にはそのままサーバ４０での処理を終了して、サーバ４０で行われるその他の処理が行われる。
【００９４】
ステップ１５６では、要求された登録データが要求先に送信されてサーバ４０での処理を終了して、サーバ４０で行われるその他の処理が行われる。なお、要求された登録データは、例えば、書籍情報照合装置２０で照合対象としている書籍のＩＳＢＮや書籍ＪＡＮコードや、買い取り書店の位置する地域の周りの書店等に対応する登録データのみを送信するようにしてもよい。
【００９５】
このように、書籍の販売時に、書籍情報登録装置１０として機能するコンピュータ３６側で、書籍の所定ページの所定領域の画像データ（紙を形成する繊維質材料の絡み具合のランダム性に起因する紙（原本）上の基準領域内における紙の凹凸のランダムな変化を示す画像データ）を転売時に照合するための基準データとして登録することで、書籍の転売時に当該基準データと照合することで、ＩＣタグや磁性タグ等の特別なデバイスを付加することなく、転売対象の書籍が盗難品であるか否かを確認することが可能となる。
【００９６】
続いて、コンピュータ３６が書籍情報照合装置２０として機能する時のコンピュータ３６で行われる処理の流れについて説明する。図１３は、コンピュータ３６が書籍情報照合装置２０として機能する時のコンピュータ３６で行われる処理の流れの一例を示すフローチャートである。
【００９７】
ステップ２００では、入力可能な書籍情報を入力する旨がディスプレイ３６Ｉに表示され、ステップ２０２へ移行し、書籍情報が入力されたか否か判定される。すなわち、登録時の入力は、書籍情報として、ＩＳＢＮや書籍ＪＡＮコード、登録するファイル名、読み取る日時、書店固有番号等が入力されるが、照合時には、登録時の書籍情報に対して入力可能なＩＳＢＮや書籍ＪＡＮコード等の書籍情報の入力がなされたか否か判定され、該判定が肯定されるまで待機してステップ２０４へ移行する。
【００９８】
ステップ２０４では、ＩＳＢＮや書籍ＪＡＮコード毎に予め定められた登録すべき所定ページの位置がディスプレイ３６Ｉに表示される。これによって、店員は登録されたと思われる所定ページを開いて書籍をスキャナ３４に載置する。
【００９９】
そして、ステップ２０６では、照合開始指示がなされたか否か判定される。該判定は、照合開始指示を表す指示がキーボード３６Ｇやマウス３６Ｈ等を用いてなされたか否か判定され、該判定が肯定されるまで待機してステップ２０８へ移行する。
【０１００】
ステップ２０８では、照合対象書籍の読取処理が行われる。すなわち、スキャナ３４に対して書籍の読取りが指示される。これによって、スキャナ３４に載置された書籍の読み取りが行われる。そして、ＩＳＢＮや書籍ＪＡＮコード毎に予め定められた所定ページの所定領域に対応する照合領域のデータが抽出される。
【０１０１】
次にステップ２１０では、サーバ４０に対して、入力された書籍情報（ＩＳＢＮや書籍ＪＡＮコード等）に対応する基準データの取得要求がネットワーク４０を介して行われる。なお、この時、買い取り書店の位置情報等を同時に送信することで、サーバ４０側で、買い取り書店の位置する地域の周りの書店等に対応する基準データを返信することが可能となり、送信するデータ量の増加を抑制することができる。
【０１０２】
そして、ステップ２１２では、サーバ４０に要求した基準データを受信したか否か判定され、該判定が否定された場合には、肯定されるまで待機してステップ２１４へ移行する。
【０１０３】
ステップ２１４では、サーバ４０から受信した基準データと、照合領域のデータ（買い取り対象の書籍から読み取った読取データ）の照合処理が行われてステップ２１６へ移行する。なお、照合処理は、読み取った照合領域のデータと、サーバ４０から取得したデータベース上の各基準データに対する照合を図１４に示すフローチャートに沿って行う。
【０１０４】
すなわち、ステップ２５０では、照合領域のデータから、基準領域と同サイズの領域の照合データが取り出され、ステップ２５２へ移行して、（１）式に従い、サーバ４０から取得した基準データとステップ２５０で取り出した照合データとの相関値が正規化相関法により演算され、演算によって得られた相関値がＲＡＭ３６Ｃ等に記憶される。
【０１０５】
次にステップ２５４では、演算対象領域が照合対象領域の全面をスキャンしたか否か判定され、該判定が否定された場合には、ステップ２５６へ移行して、データ取り出し位置が１ドットだけ縦又は横に移動させた後にステップ２５０に戻って上述の処理が繰り返され、ステップ２５４の判定が肯定されたところでステップ２５８へ移行する。本実施の形態では、基準領域が３２×３２ｄｏｔ、照合領域が６４×６４ｄｏｔであるので、相関値の演算が（６４−３２＋１）×（６４−３２＋１）＝１０８９回行われ、１０８９個の相関値が得られることになる。
【０１０６】
ステップ２５８では、上記の演算によって得られた多数個の相関値の中から最大値が抽出され、ステップ２６０へ移行する。
【０１０７】
ステップ２６０では、多数個の相関値の標準偏差及び平均値が演算された後に、演算された標準偏差・平均値及びステップ２５８で抽出された相関値の最大値を上述した（２）式に各々代入することによって、相関値の最大値のノーマライズド・スコアが演算される。
【０１０８】
続いて、ステップ２６２では、ステップ２５８で抽出された相関値の最大値が閾値以上で、かつステップ２６０で演算されたノーマライズド・スコアが閾値以上か否か判定される。なお、相関値の最大値の閾値としては例えば「０．３」を、ノーマライズド・スコアの閾値としては例えば「５．０」を用いることができる。ステップ２６２の判定が肯定された場合には、ステップ２６４へ移行して、照合対象の書籍が同一と判断して、基準データとの照合処理を終了する。
【０１０９】
また、ステップ２６２の判定が否定された場合には、ステップ２６６へ移行して、照合対象の書籍が同一ではないと判断して、基準データとの照合処理を終了する。
【０１１０】
一方、図１３のフローチャートのステップ２１６では、上述の基準データと照合データの照合処理の結果、同一のデータがあるか否か判定され、該判定が肯定された場合には、ステップ２１８へ移行して、買い取り許可を表す旨がディスプレイ３６Ｉに表示され、一連の照合処理を終了する。
【０１１１】
また、ステップ２１６の判定が否定された場合には、ステップ２２０へ移行して、買い取り禁止を表す旨がディスプレイ３６Ｉに表示され、一連の照合処理を終了する。
【０１１２】
従って、買い取り書店では、ディスプレイ３６Ｉの表示を確認することによって、買い取り対象の書籍が正規に購入されたものであるか否か、すなわち盗難品であるか否かを容易に判断することができる。
【０１１３】
すなわち、書籍の所定のページの所定領域をスキャナ３４で読み取ることで、書籍の管理を容易に行うことができる。
【０１１４】
なお、上記の実施の形態では、基準データと照合データの照合を書籍情報照合装置２０として機能しているコンピュータ３６で行うようにしたが、これに限るものではなく、例えば、サーバ４０で行うようにしてもよい。この場合のサーバ４０の処理及び書籍情報照合装置２０として機能しているコンピュータ３６の処理は、図１５及び図１６に示すようになる。
【０１１５】
ここで、図１５を参照してサーバ４０で行われる処理について説明する。なお、図１２のフローチャートと同一処理については同一符号を付して説明する。また、図１２のサーバ４０で行われる処理は、サーバ４０がデータを受信した時や、データ要求待ち等で予め定められたタイミング等で開始されるが、これに限定されるものではない。
【０１１６】
サーバ４０側ではステップ１５０で、登録対象データを受信したか否か判定される。すなわち、書籍情報登録装置１０として機能してるコンピュータ３６から上述のステップ１１４で送信された基準データが送信されてきたか否か判定され、該判定が肯定された場合には、ステップ１５２へ移行し、否定された場合にはステップ１６０へ移行する。
【０１１７】
ステップ１５２では、登録データ（書籍情報登録装置１０として機能しているコンピュータ３６から送信されてきた基準データ）がデータベースとして記憶されて、ステップ１６０へ移行する。
【０１１８】
ステップ１６０では、登録データの照合要求がなされたか否か判定される。該判定は、書籍情報照合装置２０として機能しているコンピュータ３６から、照合対象のデータが送信されてきたか否かを判定することによってなされ、該判定が肯定された場合には、ステップ１６２へ移行し、否定された場合にはそのままサーバ４０での処理を終了して、サーバ４０で行われるその他の処理が行われる。
【０１１９】
ステップ１６２では、書籍情報照合装置２０として機能しているコンピュータ３６から照合対象のデータが取得される。すなわち、ＩＳＢＮや書籍ＪＡＮコード等の書籍情報と共に照合領域のデータを、書籍情報照合装置２０として機能しているコンピュータ３６からネットワーク３８を介して受信する。
【０１２０】
次にステップ１６４では、基準データと照合領域のデータとの照合処理が行われる。当該照合処理は、上述した図１４のフローチャートで示す照合処理と同様の照合処理が行われる。
【０１２１】
そして、ステップ１６６では、照合処理によって得られる照合結果が書籍固有情報照合装２０として機能しているコンピュータ３６にネットワーク３８を介して送信され、一連のサーバ４０での処理を終了して、サーバ４０で行われるその他の処理が行われる。
【０１２２】
続いて、図１６を参照して書籍情報照合装置２０として機能しているコンピュータ３６で行われる処理について説明する。なお、図１３のフローチャートと同一処理については同一符号を付して説明する。
【０１２３】
書籍情報照合装置２０として機能しているコンピュータ３６ではステップ２００で、入力可能な書生情報を入力する旨がディスプレイ３６Ｉに表示され、ステップ２０２へ移行し、書籍情報が入力されたか否か判定される。すなわち、登録時の入力は、書籍情報として、ＩＳＢＮや書籍ＪＡＮコード、登録するファイル名、読み取る日時、書店固有番号等が入力されるが、照合時には、登録時の書籍情報に対して入力可能なＩＳＢＮや書籍ＪＡＮコード等の書籍情報の入力がなされたか否か判定され、該判定が肯定されるまで待機してステップ２０４へ移行する。
【０１２４】
ステップ２０４では、ＩＳＢＮや書籍ＪＡＮコード毎に予め定められた登録すべき所定ページの位置がディスプレイまるに表示される。これによって、店員は登録されたと思われる所定ページを開いて書籍をスキャナ３４に載置する。
【０１２５】
ステップ２０６では、照合開始指示がなされたか否か判定される。該判定は、照合開始指示を表す指示がキーボード３６Ｇやマウス３６Ｈ等を用いてなされたか否か判定され、該判定が肯定されるまで待機してステップ２０８へ移行する。
【０１２６】
ステップ２０８では、照合対象書籍の読取処理が行われる。すなわち、スキャナ３４に対して書籍の読取りが指示される。これによって、スキャナ３４に載置された書籍の読み取りが行われる。そして、ＩＳＢＮや書籍ＪＡＮコード毎に予め定められた所定ページの所定領域に対応する照合領域のデータが抽出される。
【０１２７】
次にステップ２０９では、サーバ４０に対して、入力された書籍情報と共に読取った照合領域のデータが送信されて照合要求が行われる。これによって、サーバ４０側では、上述したステップ１６２〜１６４の処理が行われる。
【０１２８】
そして、ステップ２１１では、サーバ４０から照合結果を受信したか否か判定され、該判定が肯定されるまで待機してステップ２１３へ移行する。
【０１２９】
ステップ２１３では、サーバ４０から受信した照合結果から、同一のデータがあるか否か判定され、該判定が肯定された場合には、ステップ２１８へ移行して、買い取り許可を表す旨がディスプレイ３６Ｉに表示され、一連の照合処理を終了する。
【０１３０】
また、ステップ２１３の判定が否定された場合には、ステップ２２０へ移行して、買い取り禁止を表す旨がディスプレイ３６Ｉに表示され、一連の照合処理を終了する。
【０１３１】
従って、買い取り書店では、上記の実施の形態と同様に、ディスプレイ３６Ｉの表示を確認することによって、買い取り対象の書籍が正規に購入されたものであるか否か、すなわち盗難品であるか否かを容易に判断することができる。
【０１３２】
すなわち、書籍の所定のページの所定領域をスキャナ３４で読み取ることで、書籍の管理を容易に行うことができる。
【図面の簡単な説明】
【０１３３】
【図１】本発明の実施の形態に係わる書籍情報登録装置の構成を示すブロック図である。
【図２】本発明の実施の形態に係わる書籍情報照合装置の構成を示すブロック図である。
【図３】本発明の実施の形態に係わる書籍管理システムの詳細例を示す図である。
【図４】本発明の実施の形態に係わる書籍管理システムにおける書籍情報登録装置及び書籍情報照合装置として機能するコンピュータの構成を示すブロック図である。
【図５】書籍の読取を行うスキャナの一例を示す図である。
【図６】基準データの一例を可視化したイメージ図である。
【図７】書籍固有情報のデータベースの一例を示す図である。
【図８】（Ａ）は登録画像、（Ｂ）は照合画像の一例を各々示すイメージ図である。
【図９】登録画像と照合画像の相関値の演算を説明するためのイメージ図である。
【図１０】（Ａ）〜（Ｃ）は各種条件での相関値の分布を相関値の最大値及びノーマライズド・スコアと共に示す線図である。
【図１１】コンピュータが書籍情報登録装置として機能する時のコンピュータで行われる処理の流れの一例を示すフローチャートである。
【図１２】書籍固有情報管理用のサーバで行われる処理の流れの一例を示すフローチャートである。
【図１３】コンピュータが書籍情報照合装置として機能する時のコンピュータで行われる処理の流れの一例を示すフローチャートである。
【図１４】サーバから取得したデータベース上の各基準データに対する照合を説明するためのフローチャートである。
【図１５】書籍固有情報管理用のサーバで行われる処理の流れの変形例を示すフローチャートである。
【図１６】コンピュータが書籍情報照合装置として機能する時のコンピュータで行われる処理の流れの変形例を示すフローチャートである。
【符号の説明】
【０１３４】
１０、１１    書籍情報登録装置
１２    書籍情報読取部
１４    書籍固有情報変換部
１６    書籍固有情報記憶部
１８、３２    制御部
２０    書籍情報照合装置
２２    書籍固有情報管理部
２４    書籍固有情報入力部
２６    書籍固有情報記憶部
２８    固有情報比較部
３０    固有情報判定部
３４    スキャナ
３６    コンピュータ
３８    ネットワーク
４０    サーバ
【図１】
2006171900.tif 000004
【図２】
2006171900.tif 000005
【図３】
2006171900.tif 000006
【図４】
2006171900.tif 000007
【図５】
2006171900.tif 000008
【図６】
2006171900.tif 000009
【図７】
2006171900.tif 000010
【図８】
2006171900.tif 000011
【図９】
2006171900.tif 000012
【図１０】
2006171900.tif 000013
【図１１】
2006171900.tif 000014
【図１２】
2006171900.tif 000015
【図１３】
2006171900.tif 000016
【図１４】
2006171900.tif 000017
【図１５】
2006171900.tif 000018
【図１６】
2006171900.tif 000019